(57)【要約】【課題】荷重やモーメントに対する十分な強度を有するとともに、什器本体の位置ズレやガタ付き、取付位置のばらつきを抑えることができ、しかも部材製作の手間及びコストを抑える。【解決手段】支持脚２０及び椅子本体４０の支持構造は、支持脚２０及び椅子本体４０に設けられる連結部材５０と、連結部材５０が固定される固定ビーム３０と、を備える。固定ビーム３０は、前後方向ＦＲに突出する突出部３２Ａ、３２Ｂを備える。連結部材５０は、突出部３２Ａに係合する第一クランプ部材５１と、突出部３２Ｂに係合する第二クランプ部材５２と、第一クランプ部材５１と第二クランプ部材５２とを締結する締結部材５３と、締結部材５３により第一クランプ部材５１と第二クランプ部材５２とを締結したときに、第二クランプ部材５２を固定ビーム３０に押し付ける傾斜面５１７，５２７と、を備える。【選択図】図３
2018187154.tif 000002
【特許請求の範囲】
【請求項１】
什器の一部を構成する什器構成部材に設けられる什器側部材と、
前記什器側部材が固定される固定部材と、を備え、
前記什器側部材及び前記固定部材の一方は、
前記什器側部材と前記固定部材とが対向する対向方向に交差する交差方向の第一側に突出する第一突出部と、
前記交差方向の第二側に突出する第二突出部と、を備え、
前記什器側部材及び前記固定部材の他方は、
前記第一突出部に係合する第一係合部を有した第一クランプ部材と、
前記第一クランプ部材に対して前記交差方向において対向して配置され、前記第二突出部に係合する第二係合部を有した第二クランプ部材と、
前記第一クランプ部材と前記第二クランプ部材とを締結する締結部材と、
前記第一クランプ部材及び前記第二クランプ部材の少なくとも一方に形成され、前記対向方向及び前記交差方向に対して傾斜し、前記締結部材により前記第一クランプ部材と前記第二クランプ部材とを締結したときに、前記第一クランプ部材及び前記第二クランプ部材の一方を、前記什器側部材及び前記固定部材の一方に押し付ける第一傾斜面と、
を備える、什器構成部材の支持構造。
【請求項２】
前記什器側部材及び前記固定部材の一方と、前記第一クランプ部材及び前記第二クランプ部材の一方とは、それぞれ、前記対向方向に直交する平面部を有している、
請求項１に記載の什器構成部材の支持構造。
【請求項３】
前記第一係合部及び前記第二係合部は、前記対向方向及び前記交差方向に対して傾斜し、前記締結部材により前記第一クランプ部材と前記第二クランプ部材とを締結したときに、前記什器側部材及び前記固定部材の一方を、前記第一クランプ部材及び前記第二クランプ部材に引き寄せる第二傾斜面を有している、
請求項１又は２に記載の什器構成部材の支持構造。
【請求項４】
前記第一突出部及び前記第二突出部は、前記第一係合部及び前記第二係合部の前記第二傾斜面に対向する対向傾斜面を有する、
請求項３に記載の什器構成部材の支持構造。
【請求項５】
前記第一クランプ部材及び前記第二クランプ部材の一方は、前記交差方向に直交し、前記締結部材により前記第一クランプ部材と前記第二クランプ部材とを締結したときに、前記第一クランプ部材及び前記第二クランプ部材の他方に突き当たる突き当たり面が形成されている、請求項１から４のいずれか一項に記載の什器構成部材の支持構造。
【請求項６】
前記固定部材は、前記対向方向及び前記交差方向に交差し、水平方向に延びるよう形成されている、
請求項１から５のいずれか一項に記載の什器構成部材の支持構造。
【請求項７】
前記什器側部材は、構造物の床面又は壁面に固定され、前記固定部材を支持する支持脚に設けられている、
請求項１から６のいずれか一項に記載の什器構成部材の支持構造。
【請求項８】
前記什器側部材は、少なくとも着座面を有した座部を備える椅子本体に設けられている、
請求項１から７のいずれか一項に記載の什器構成部材の支持構造。
【請求項９】
請求項１から８のいずれか一項に記載の什器構成部材の支持構造を備える什器。
【発明の詳細な説明】
【技術分野】
【０００１】
本発明は、什器構成部材の支持構造、及びそれを備える什器に関する。
【背景技術】
【０００２】
例えば、スタジアム、空港等に設置される椅子装置において、水平方向に延びるパイプ状の支持部材に、１つ以上の椅子を設けたものがある。支持部材は、脚部材を介して床面や壁面に固定して設置される。
このような椅子装置において、支持部材に椅子を固定するため、パイプ状の支持部材を挟持する二個一対のクランプ部材を用いたものがある。クランプ部材を用いた椅子等の什器の支持構造においては、什器から作用する荷重やモーメントに対する強度、椅子等の什器の組み立て作業を行う際の組立性等が要求される。
【０００３】
例えば、特許文献１には、断面視長方形状の支持部材を、それぞれ断面Ｃ字型をなした二個一対のクランプ部材で挟み込み、これら二個一対のクランプ部材同士をボルトで締結する構成が開示されている。このような構成においては、支持部材が、上下方向に長い断面視長方形状であることで、上下方向の荷重、及び椅子に着座した際の支持部材の中心軸回りの前後方向の回転モーメントに対する強度を確保している。
【０００４】
ところで、特許文献１に開示された構成においては、二個一対のクランプ部材によって支持部材を前後方向から挟み込んでいる。このため、クランプ部材と支持部材とが、前後方向において密着する。これに対し、支持部材の上下面とクランプ部材との間には、組立性等を考慮して、クリアランスが形成されている。支持部材とクランプ部材との間に上下方向のクリアランスが存在すると、クランプ部材同士を締結するボルトの締め込みが十分でなかった場合等に、支持部材を介して支持された椅子等の什器が上下方向に位置ずれしたり、ガタ付きを生じる可能性がある。また、一つの支持部材に複数の椅子等の什器を取り付ける場合、支持部材とクランプ部材との間のクリアランスによって、支持部材に対する椅子等の什器の取付位置が上下方向にばらつく場合がある。
【０００５】
これに対し、特許文献２には、断面略三角形状の支持部材に、クランプ部材によって、椅子を取り付ける構成が開示されている。このような構成によれば、断面略三角形状の支持部材の傾斜面に一方のクランプ部材を係止させ、他方のクランプ部材で一方のクランプ部材を支持部材に固定している。支持部材の傾斜面に一方のクランプ部材を係止させることによって、クランプ部材と支持部材とを密着させ、椅子のガタ付きや取付位置のばらつきを抑えることができる。
【先行技術文献】
【特許文献】
【０００６】
【特許文献１】米国特許出願公開第２０１１／００２４２４６号明細書
【特許文献２】米国特許出願公開第２００５／０１４６１８０号明細書
【発明の概要】
【発明が解決しようとする課題】
【０００７】
しかしながら、上記特許文献２に開示されたような構成においては、支持部材が断面視略三角形状で、しかも、上面側が湾曲面によって形成された複雑な形状を有している。このため、支持部材を形成するための金型の形状が複雑化する。その結果、支持部材やクランプ部材の製作に手間及びコストがかかる。
そこでなされた本発明の目的は、荷重やモーメントに対する十分な強度を有するとともに、什器本体の位置ズレやガタ付き、取付位置のばらつきを抑えることができ、しかも部材製作の手間及びコストを抑えることができる什器構成部材の支持構造、及びそれを備える什器を提供することである。
【課題を解決するための手段】
【０００８】
本発明は、上記課題を解決するため、以下の手段を採用する。
この発明に係る什器構成部材の支持構造は、什器の一部を構成する什器構成部材に設けられる什器側部材と、前記什器側部材が固定される固定部材と、を備える。前記什器側部材及び前記固定部材の一方は、前記什器側部材と前記固定部材とが対向する対向方向に交差する交差方向の第一側に突出する第一突出部と、前記交差方向の第二側に突出する第二突出部と、を備える。前記什器側部材及び前記固定部材の他方は、前記第一突出部に係合する第一係合部を有した第一クランプ部材と、前記第一クランプ部材に対して前記交差方向において対向して配置され、前記第二突出部に係合する第二係合部を有した第二クランプ部材と、前記第一クランプ部材と前記第二クランプ部材とを締結する締結部材と、前記第一クランプ部材及び前記第二クランプ部材の少なくとも一方に形成され、前記対向方向及び前記交差方向に対して傾斜し、前記締結部材により前記第一クランプ部材と前記第二クランプ部材とを締結したときに、前記第一クランプ部材及び前記第二クランプ部材の一方を、前記什器側部材及び前記固定部材の一方に押し付ける第一傾斜面と、を備える。
【０００９】
このように、什器側部材と固定部材とは、第一突出部及び第二突出部を、第一クランプ部材と第二クランプ部材とで挟み込むことで互いに固定される。第一クランプ部材と第二クランプ部材とは、締結部材で締結すれば良いので、組立を容易に行うことができる。また、第一クランプ部材と第二クランプ部材とで、第一突出部及び第二突出部を挟み込むことで、第一クランプ部材と第二クランプ部材とが対向する交差方向においては、什器側部材と固定部材とを、強固に固定することができる。また、締結部材により第一クランプ部材と第二クランプ部材とを締結したときに、第一傾斜面によって、第一クランプ部材及び第二クランプ部材の一方が、什器側部材及び固定部材の一方に押し付けられる。このため、什器側部材と固定部材とが対向する対向方向においても、什器側部材と固定部材とを、強固に固定することができる。しかも、第一傾斜面によって、第一クランプ部材及び第二クランプ部材の一方を、什器側部材及び固定部材の一方に押し付けることによって、什器本体の位置ズレやガタ付き、取付位置のばらつきを抑えることができる。したがって、第一クランプ部材及び第二クランプ部材の少なくとも一方に第一傾斜面を形成すれば、位置ズレやガタ付き、取付位置のばらつきを抑えることができる。その結果、什器側部材や固定部材を高い寸法精度で形成する必要性が低くなり、部材製作の手間及びコストを抑えることができる。
【００１０】
また、上記什器構成部材の支持構造において、前記什器側部材及び前記固定部材の一方と、前記第一クランプ部材及び前記第二クランプ部材の一方とは、それぞれ、前記対向方向に直交する平面部を有しているようにしてもよい。
このように構成することで、第一傾斜面によって、第一クランプ部材及び第二クランプ部材の一方を、什器側部材及び固定部材の一方に押し付けると、什器側部材及び固定部材の一方と、第一クランプ部材及び第二クランプ部材の一方とは、平面部において互いに密着する。これにより、荷重やモーメントに対する強度を確保するとともに、什器本体の位置ズレやガタ付き、取付位置のばらつきを抑えることができる。
【００１１】
また、上記什器構成部材の支持構造において、前記第一係合部及び前記第二係合部は、前記対向方向及び前記交差方向に対して傾斜し、前記締結部材により前記第一クランプ部材と前記第二クランプ部材とを締結したときに、前記什器側部材及び前記固定部材の一方を、前記第一クランプ部材及び前記第二クランプ部材に引き寄せる第二傾斜面を有しているようにしてもよい。
このように構成することで、締結部材により第一クランプ部材と第二クランプ部材とを締結すると、第二傾斜面によって、第一クランプ部材及び第二クランプ部材が、什器側部材及び固定部材の一方に引き寄せられる。これによっても、什器側部材及び固定部材の一方と、第一クランプ部材及び第二クランプ部材の一方とは、互いに強く押し付けられる。これにより、荷重やモーメントを強固に支持するとともに、什器本体の位置ズレやガタ付き、取付位置のばらつきを抑えることができる。
【００１２】
また、上記什器構成部材の支持構造において、前記第一突出部及び前記第二突出部は、前記第一係合部及び前記第二係合部の前記第二傾斜面に対向する対向傾斜面を有するようにしてもよい。
このように構成することで、第二傾斜面と対向傾斜面とが互いに対向することで、荷重やモーメントを、より強固に支持して、什器本体の位置ズレやガタ付き、取付位置のばらつきを抑えることができる。
【００１３】
また、上記什器構成部材の支持構造において、前記第一クランプ部材及び前記第二クランプ部材の一方は、前記交差方向に直交し、前記締結部材により前記第一クランプ部材と前記第二クランプ部材とを締結したときに、前記第一クランプ部材及び前記第二クランプ部材の他方に突き当たる突き当たり面が形成されているようにしてもよい。
このように構成することで、締結部材により第一クランプ部材と第二クランプ部材とを締結したときに、第一クランプ部材及び第二クランプ部材の一方に形成された突き当たり面が、第一クランプ部材及び前記第二クランプ部材の他方に突き当たることで、第一クランプ部材と第二クランプ部材との位置関係が規制される。これにより、締結部材の過度な締付を抑え、第一係合部及び第二係合部を、第一突出部及び第二突出部に対し、適正な状態で係合させることができる。
【００１４】
また、上記什器構成部材の支持構造において、前記固定部材は、前記対向方向及び前記交差方向に交差し、水平方向に延びるよう形成されているようにしてもよい。
このように構成することで、水平方向に延びる固定部材に対し、什器構成部材を、固定部材の水平方向の任意の位置に取り付けることができる。
【００１５】
また、上記什器構成部材の支持構造において、前記什器側部材は、構造物の床面又は壁面に固定され、前記固定部材を支持する支持脚に設けられているようにしてもよい。
このように構成することで、固定部材と、この固定部材を支持する支持脚とを、より強固に固定して、什器本体の位置ズレやガタ付き、取付位置のばらつきを抑えることができる。
【００１６】
また、上記什器構成部材の支持構造において、前記什器側部材は、少なくとも着座面を有した座部を備える椅子本体に設けられているようにしてもよい。
このように構成することで、固定部材と、この椅子本体とを、より強固に固定して、椅子本体の位置ズレやガタ付き、取付位置のばらつきを抑えることができる。
【００１７】
この発明に係る什器は、上記したような什器構成部材の支持構造を備える。
【００１８】
このように構成することで、什器本体の位置ズレやガタ付き、取付位置のばらつきを抑えることができる。
【発明の効果】
【００１９】
この発明に係る什器構成部材の支持構造、及びそれを備える什器によれば、荷重やモーメントに対する十分な強度を有するとともに、什器本体の位置ズレやガタ付き、取付位置のばらつきを抑えることができ、しかも部材製作の手間及びコストを抑えることができる。
【図面の簡単な説明】
【００２０】
【図１】この発明の一実施形態に係る什器構成部材の支持構造を適用した什器の全体構成を示す斜視図である。
【図２】上記什器の側面図である。
【図３】上記什器構成部材の支持構造を示す側面図である。
【図４】上記什器構成部材の支持構造を適用した什器の第１変形例を示す側面図である。
【図５】上記什器構成部材の支持構造の固定部材の変形例を示す側面図である。
【図６】上記什器構成部材の支持構造の固定部材の他の変形例を示す側面図である。
【発明を実施するための形態】
【００２１】
以下、添付図面を参照して、本発明による什器構成部材の支持構造、及びそれを備える什器を実施するための形態を説明する。しかし、本発明はこれらの実施形態のみに限定されるものではない。
以下の説明において、椅子本体４０に利用者が着座した状態において、利用者から見て前方と後方とを結ぶ方向を前後方向（交差方向）ＦＲ、上方と下方とを結ぶ方向を上下方向（対向方向）ＵＤ、左方と右方とを結ぶ方向を幅方向ＬＲと称する。
【００２２】
図１は、本実施形態に係る什器構成部材の支持構造を適用した什器の全体構成を示す斜視図である。図２は、什器の側面図である。図３は、什器構成部材の支持構造を示す側面図である。
図１、図２に示すように、ベンチシート装置（什器）１０は、スタジアムや、空港、駅等の構造物に設置されるもので、支持脚（什器構成部材）２０と、水平方向に延びる固定ビーム（固定部材）３０と、椅子本体（什器構成部材）４０と、連結部材（什器側部材）５０と、を備えている。図１において、１つの椅子本体４０のみを図示しているが、ベンチシート装置１０は、固定ビーム３０の長手方向において、複数の椅子本体４０を備えることができる。
【００２３】
支持脚２０は、下端部が構造物の床面Ｆ（図１参照）に固定され、上下方向ＵＤの上方に向かって延びている。この実施形態において、支持脚２０は、椅子本体４０の幅方向ＬＲ両側にそれぞれ配置されているが、支持脚２０は、固定ビーム３０の長手方向両端部、あるいは固定ビーム３０の長手方向に沿って適宜間隔をあけて設けてもよい。
各支持脚２０は、後に詳述する連結部材５０を介して、固定ビーム３０に連結される。
【００２４】
固定ビーム３０は、複数本の支持脚２０上に支持されている。固定ビーム３０は、アルミニウム合金、ステンレス等の金属材料から形成されている。固定ビーム３０は、引抜成形あるいは押出成形等によって形成され、その長手方向に沿って同一断面形状が連続している。
【００２５】
椅子本体４０は、幅方向ＬＲ両側に設けられた一対のフレーム４１と、座部４２と、背部４３と、を備えている。
【００２６】
各フレーム４１は、後に詳述する連結部材５０を介して、固定ビーム３０に連結されている。フレーム４１は、座部支持部４１ａと、座部支持部４１ａから上方に向かって延びる背部支持部４１ｂと、を一体に有している。
【００２７】
座部４２は、幅方向ＬＲ両側の一対のフレーム４１の間に配置されている。座部４２は、利用者が着座する着座面４２ｆを有している。座部４２は、前後方向ＦＲの後端部が、一対のフレーム４１の座部支持部４１ａに設けられた軸支部４４を介して回動可能に連結されている。座部４２は、着座面４２ｆを上方に向けた状態と、座部４２の前端部を上方に跳ね上げた状態との間で、回動可能とされている。
【００２８】
背部４３は、フレーム４１の背部支持部４１ｂに連結されている。背部４３は、背部支持部４１ｂの上端部から上下方向ＵＤの上方に延びるよう設けられている。背部４３は、前後方向ＦＲの前方に、利用者が寄りかかる背凭れ面４３ｆを有している。
【００２９】
このような椅子本体４０は、後に詳述する連結部材５０を介して、固定ビーム３０に連結される。
【００３０】
なおここで、椅子本体４０は、背部４３を備えているが、少なくとも座部４２を有していればよい。さらに、座部４２を跳ね上げ可能としたが、座部４２は固定状態で設置されるものであってもよい。
【００３１】
図３に示すように、このようなベンチシート装置１０において、固定ビーム３０は、被クランプ部３２と、補強部３５と、を備えている。
【００３２】
被クランプ部３２は、固定ビーム３０の上下方向ＵＤの両側に、それぞれ設けられている。上下方向ＵＤの上方（一方の側）の被クランプ部３２は、椅子本体４０に設けられる連結部材５０（第一の連結部材）が連結固定される。上下方向ＵＤの下方（他方の側）の被クランプ部３２は、支持脚２０に設けられる連結部材５０（第二の連結部材）が連結固定される。
ここで、上下方向ＵＤの上方の被クランプ部３２と下方の被クランプ部３２とは、その上下を反転させたのみで、同様の構成である。そこで、以下の説明においては、上下方向ＵＤの下方に設けられた被クランプ部３２を中心に説明を行い、上方に設けられた被クランプ部３２については、下方の被クランプ部３２と同符号を付して、その詳細な説明を省略する。
【００３３】
被クランプ部３２は、突出部（第一突出部）３２Ａと、突出部（第二突出部）３２Ｂと、平面部３３と、傾斜部（対向傾斜面）３４と、を備えている。
【００３４】
突出部３２Ａは、固定ビーム３０において、前後方向ＦＲの中央部を構成する主部３１から、前後方向ＦＲの前方（第一側）に突出するよう形成されている。突出部３２Ｂは、固定ビーム３０において、主部３１から前後方向ＦＲの後方（第二側）に突出するよう形成されている。
【００３５】
ここで、この実施形態において、主部３１は、主に、平面部３３により形成されている。
平面部３３は、突出部３２Ａと突出部３２Ｂとの間に形成され、上下方向ＵＤに直交する水平面に沿って形成されている。なお、平面部３３は、突出部３２Ａ及び突出部３２Ｂの少なくとも一方に形成されていればよい。図３に示したように、固定ビーム３０において、下方の平面部３３に、下方に向かって開口し、例えばカップホルダー等のオプション部材（図示無し）が装着できるオプション部材取付溝３９を形成してもよい。
【００３６】
傾斜部３４は、突出部３２Ａ及び突出部３２Ｂのそれぞれに形成されている。傾斜部３４は、固定ビーム３０の上下方向ＵＤの中央部に近づくにしたがって、固定ビーム３０の前後方向ＦＲの中央部の主部３１側に漸次傾斜している。これにより、突出部３２Ａ，３２Ｂは、それぞれ、鋭角に突出している。
【００３７】
補強部３５は、被クランプ部３２に対し、固定ビーム３０の上下方向ＵＤの中央部側に形成されている。本実施形態の固定ビーム３０において、補強部３５は、上方の被クランプ部３２と、下方の被クランプ部３２との間に設けられている。
【００３８】
補強部３５は、固定ビーム３０の前後方向ＦＲの両側にそれぞれ形成された補助突出部３６を備えている。各補助突出部３６は、直交面３６ａ，３６ａと、連結部３６ｂと、を有している。
【００３９】
直交面３６ａは、上方の被クランプ部３２の突出部３２Ａ，３２Ｂに対向する側と、下方の被クランプ部３２の突出部３２Ａ，３２Ｂに対向する側とに、それぞれ形成されている。直交面３６ａは、上下方向ＵＤに略直交する水平面に沿って形成されている。直交面３６ａは、傾斜部３４から、前後方向ＦＲにおいて固定ビーム３０の外方に突出するよう形成されている。
【００４０】
連結部３６ｂは、上下方向ＵＤに延び、上方の被クランプ部３２側の直交面３６ａの先端部と、下方の被クランプ部３２側の直交面３６ａの先端部とを連結する。
【００４１】
このようにして、補助突出部３６は、突出部３２Ａ及び突出部３２Ｂの突出方向である前後方向ＦＲに突出して形成されている。
前後方向ＦＲの前方に形成された補助突出部３６は、上方の被クランプ部３２の突出部３２Ａと、下方の被クランプ部３２の突出部３２Ａとを連結するように設けられている。前後方向ＦＲの後方に形成された補助突出部３６は、上方の被クランプ部３２の突出部３２Ｂと、下方の被クランプ部３２の突出部３２Ｂとを連結するように設けられている。
【００４２】
本実施形態において、固定ビーム３０は、補強部３５として、上記補助突出部３６に対して前後方向ＦＲの内側に、上方の被クランプ部３２と下方の被クランプ部３２とを連結する内側連結部３８をさらに備える。
内側連結部３８は、傾斜アーム３８ａと、水平アーム３８ｂと、を有している。
【００４３】
傾斜アーム３８ａは、上方の被クランプ部３２、下方の被クランプ部３２のそれぞれの傾斜部３４に連続して形成されている。各傾斜アーム３８ａは、固定ビーム３０の上下方向ＵＤの中央部に近づくにしたがって、固定ビーム３０の前後方向ＦＲの中央部側に傾斜している。上方の被クランプ部３２の傾斜部３４に連続する傾斜アーム３８ａと、下方の被クランプ部３２の傾斜部３４に連続する傾斜アーム３８ａとは、上下方向ＵＤの中央部において、Ｖ字状に接合されている。
【００４４】
水平アーム３８ｂは、水平面内で、前後方向ＦＲに延びている。水平アーム３８ｂは、上下方向ＵＤの中央部において、前後方向ＦＲの前方に位置する傾斜アーム３８ａ，３８ａと、前後方向ＦＲの後方に位置する傾斜アーム３８ａ，３８ａとを接合する。
【００４５】
固定ビーム３０は、上方の被クランプ部３２と下方の被クランプ部３２との間が、内側連結部３８と上記補強部３５とにより、上下の被クランプ部３２よりも断面係数が高くなっている。
【００４６】
連結部材５０は、支持脚２０の上端部と、椅子本体４０のフレーム４１の下端部とに、それぞれ設けられている。支持脚２０の上端部に設けられた連結部材５０は、固定ビーム３０の下方の被クランプ部３２に連結される。椅子本体４０のフレーム４１の下端部に設けられた連結部材５０は、固定ビーム３０の上方の被クランプ部３２に連結される。
ここで、支持脚２０の上端部に設けられた連結部材５０と、椅子本体４０のフレーム４１の下端部に設けられた連結部材５０とは、その上下を反転させたのみで、同様の構成である。そこで、以下の説明においては、支持脚２０の上端部に設けられた連結部材５０を中心に説明を行い、椅子本体４０のフレーム４１の下端部に設けられた連結部材５０については、支持脚２０の上端部に設けられた連結部材５０と同符号を付して、その詳細な説明を省略する。
【００４７】
連結部材５０は、第一クランプ部材５１と、第二クランプ部材５２と、締結部材５３と、を備える。
【００４８】
第一クランプ部材５１及び第二クランプ部材５２は、固定ビーム３０の被クランプ部３２を、前後方向ＦＲの両側から挟み込む。ここで、第二クランプ部材５２は、支持脚２０の上端部（椅子本体４０のフレーム４１の下端部）に一体に固定されている。第一クランプ部材５１は、第二クランプ部材５２に、締結部材５３によって締結されることで、支持脚２０の上端部（椅子本体４０のフレーム４１の下端部）に取り付けられる。
【００４９】
第二クランプ部材５２は、突出部３２Ｂに係合する第二係合部５２１を有している。第二係合部５２１は、突出部３２Ｂが係合する凹部５２２を備えている。第二係合部５２１は、凹部５２２の一部に、突出部３２Ｂに形成された傾斜部３４に対向する係合部傾斜面（第二傾斜面）５２３を有している。係合部傾斜面５２３は、固定ビーム３０の上下方向ＵＤの中央部に近づくにしたがって、固定ビーム３０の前後方向ＦＲの中央部側に漸次傾斜している。
【００５０】
また、第二クランプ部材５２は、固定ビーム３０の平面部３３に対向する支持面（平面部）５２４を有している。この支持面５２４は、平面部３３の略全体に対向するよう設けられている。支持脚２０に設けられた連結部材５０において、第二クランプ部材５２の支持面５２４に、固定ビーム３０の下方の平面部３３を対向させることで、第一クランプ部材５１を第二クランプ部材５２に締結しない状態であっても、固定ビーム３０を支持面５２４上で安定的に支持できる。また、椅子本体４０に設けられた連結部材５０において、第二クランプ部材５２の支持面５２４に、固定ビーム３０の下方の平面部３３を対向させると、第一クランプ部材５１を第二クランプ部材５２に締結しない状態であっても、椅子本体４０は、平面部３３上で安定的に支持できる。
【００５１】
第二クランプ部材５２は、前後方向ＦＲの前方を向く側に、第一クランプ部材５１が嵌め込まれる係合凹部５２５を有している。係合凹部５２５は、鉛直面５２６と、傾斜面（第一傾斜面）５２７と、突き当たり面５２８と、を備える。
【００５２】
鉛直面５２６は、支持面５２４の前端部から上下方向ＵＤに延びるよう形成されている。
傾斜面５２７は、鉛直面５２６に連続して形成され、上下方向ＵＤにおいて支持面５２４から離間するにしたがって、前後方向ＦＲの後方、すなわち第一クランプ部材５１から離間する側に傾斜している。
【００５３】
突き当たり面５２８は、傾斜面５２７に対し、上下方向ＵＤにおいて支持面５２４から離間する側に連続して形成され、上下方向ＵＤに延びるよう形成されている。
【００５４】
第一クランプ部材５１は、突出部３２Ａに係合する第一係合部５１１を有している。第一係合部５１１は、突出部３２Ａが係合する凹部５１２を備えている。第一係合部５１１は、凹部５１２の一部に、突出部３２Ａに形成された傾斜部３４に対向する係合部傾斜面（第二傾斜面）５１３を有している。係合部傾斜面５１３は、固定ビーム３０の上下方向ＵＤの中央部に近づくにしたがって、固定ビーム３０の前後方向ＦＲの中央部側に漸次傾斜している。
【００５５】
第一クランプ部材５１は、前後方向ＦＲの後方を向く側に、第二クランプ部材５２の係合凹部５２５に係合する係合凸部５１５を有している。係合凸部５１５は、鉛直面５１６と、傾斜面（第一傾斜面）５１７と、突き当たり面５１８と、を備える。
【００５６】
鉛直面５１６は、第一クランプ部材５１の係合凸部５１５を第二クランプ部材５２の係合凹部５２５に係合させた状態で、鉛直面５２６に対向する。この状態で、鉛直面５１６は、鉛直面５２６との間に、前後方向ＦＲに微少な間隔を隔てて対向する。
【００５７】
傾斜面５１７は、鉛直面５１６に連続して形成され、上下方向ＵＤにおいて鉛直面５１６から離間するにしたがって、前後方向ＦＲの後方、すなわち第二クランプ部材５２側に傾斜している。この傾斜面５１７は、第一クランプ部材５１の係合凸部５１５を第二クランプ部材５２の係合凹部５２５に係合させた状態で、傾斜面５２７に対向する。
【００５８】
突き当たり面５１８は、傾斜面５１７から上下方向ＵＤに連続して形成されている。突き当たり面５１８は、上下方向ＵＤに延びるよう形成されている。突き当たり面５１８は、第一クランプ部材５１の係合凸部５１５を第二クランプ部材５２の係合凹部５２５に係合させた状態で、突き当たり面５２８に突き当たる。
【００５９】
締結部材５３は、第一クランプ部材５１と第二クランプ部材５２とを締結する。締結部材５３は、ボルトからなり、前後方向ＦＲに延びている。締結部材５３は、第一クランプ部材５１に形成された挿通穴５１ｈを通して、第二クランプ部材５２の突き当たり面５２８に形成された雌ネジ孔５２ｈに締結される。この実施形態において、第一クランプ部材５１は、第二クランプ部材５２に対し、１本の締結部材５３によって締結される。
【００６０】
締結部材５３で第一クランプ部材５１と第二クランプ部材５２とを締結すると、第一クランプ部材５１の傾斜面５１７が第二クランプ部材５２の傾斜面５２７を押圧する。これにより、第二クランプ部材５２の支持面５２４は、固定ビーム３０の平面部３３に押し付けられる。
また、締結部材５３で第一クランプ部材５１と第二クランプ部材５２とを締結すると、第一クランプ部材５１と第二クランプ部材５２には、これらを前後方向ＦＲに互いに引き寄せる力が作用する。これにより、第一クランプ部材５１の係合部傾斜面５１３、第二クランプ部材５２の係合部傾斜面５２３は、固定ビーム３０の被クランプ部３２の傾斜部３４を押圧する。傾斜部３４の傾斜により、固定ビーム３０の平面部３３は、第二クランプ部材５２の支持面５２４にさらに強く押し付けられる。
本実施形態における椅子本体４０において、背部４３や座部４２は、固定ビーム３０の軸線から大きく偏心している。これらの背部４３や座部４２に荷重（偏荷重）が入力されると、第一クランプ部材５１と第二クランプ部材５２とを固定ビーム３０の軸線周りに回動させようとするモーメントが作用する。これに対し、固定ビーム３０の平面部３３が第二クランプ部材５２の支持面５２４に強く押し付けられることによって、上記のモーメントに抗することができる。また、傾斜部３４と、傾斜アーム３８ａとは、鉛直方向に対してやや内向きに傾斜しているので、上記の回動方向のモーメントに対し、直角あるいはそれに近い角度で抗することになる。したがって、鉛直方向のモーメントだけでなく、回動方向のモーメントに対しても、強く抗することができる。
【００６１】
上述したような支持脚２０及び椅子本体４０の支持構造、及びベンチシート装置１０は、ベンチシート装置１０の一部を構成する支持脚２０及び椅子本体４０に設けられる連結部材５０と、連結部材５０が固定される固定ビーム３０と、を備える。固定ビーム３０は、突出部３２Ａ、突出部３２Ｂを備える。連結部材５０は、突出部３２Ａに係合する第一係合部５１１を有した第一クランプ部材５１と、突出部３２Ｂに係合する第二係合部５２１を有した第二クランプ部材５２と、第一クランプ部材５１と第二クランプ部材５２とを締結する締結部材５３と、を備える。第一クランプ部材５１及び第二クランプ部材５２は、上下方向ＵＤ及び前後方向ＦＲに対して傾斜し、締結部材５３による第一クランプ部材５１と第二クランプ部材５２とを締結したときに、第二クランプ部材５２を、固定ビーム３０に押し付ける傾斜面５１７，５２７を備える。
このような構成によれば、連結部材５０と固定ビーム３０とは、突出部３２Ａ及び突出部３２Ｂを、第一クランプ部材５１と第二クランプ部材５２とで挟み込むことで互いに固定される。第一クランプ部材５１と第二クランプ部材５２とは、締結部材５３で締結すれば良いので、組立を容易に行うことができる。また、第一クランプ部材５１と第二クランプ部材５２とで、突出部３２Ａ及び突出部３２Ｂを挟み込むことで、第一クランプ部材５１と第二クランプ部材５２とが対向する前後方向ＦＲにおいては、連結部材５０と固定ビーム３０とを、強固に固定することができる。また、締結部材５３により第一クランプ部材５１と第二クランプ部材５２とを締結したときに、傾斜面５１７，５２７によって、第二クランプ部材５２が、固定ビーム３０に押し付けられる。このため、連結部材５０と固定ビーム３０とが対向する上下方向ＵＤにおいても、連結部材５０と固定ビーム３０とを、強固に固定することができる。これによって、荷重やモーメントに対する十分な強度を有するとともに、支持脚２０、椅子本体４０の位置ズレやガタ付き、取付位置のばらつきを抑えることができる。さらに、第一クランプ部材５１及び第二クランプ部材５２に傾斜面５１７，５２７を形成して、第一クランプ部材５１と第二クランプ部材５２とを締結部材５３で締結すれば、位置ズレやガタ付き、取付位置のばらつきを抑えることができる。すなわち、第一クランプ部材５１や第二クランプ部材５２を、高い寸法精度で形成する必要がない。したがって、部材製作の手間及びコストを抑えることができる。
【００６２】
また、固定ビーム３０と、第二クランプ部材５２とは、それぞれ、上下方向ＵＤに直交する平面部３３、支持面５２４を有している。
このように構成することで、傾斜面５１７，５２７によって、第二クランプ部材５２を固定ビーム３０に押し付けると、平面部３３と支持面５２４とが互いに密着する。これにより、椅子本体４０から作用する荷重やモーメントに対する強度を確保するとともに、椅子本体４０の位置ズレやガタ付き、取付位置のばらつきを抑えることができる。
さらに、ベンチシート装置１０の組立途中において、第二クランプ部材５２の支持面５２４と、固定ビーム３０の平面部３３を対向させることで、第一クランプ部材５１を第二クランプ部材５２に締結しない状態であっても、固定ビーム３０や椅子本体４０を安定的に支持できる。したがって、組立作業中に、固定ビーム３０や椅子本体４０を抑える必要が低くなり、作業の容易化、効率化を図ることができる。
【００６３】
さらに、第一クランプ部材５１は、第二クランプ部材５２に対し、前後方向ＦＲの前方に配置されている。これにより、ベンチシート装置１０の組立作業時には、支持脚２０や椅子本体４０と一体に設けられた第二クランプ部材５２に対し、前後方向ＦＲの前方から、第一クランプ部材５１の第二クランプ部材５２へのセット作業、締結部材５３の締結作業等を容易に行うことができる。
【００６４】
さらに、第一係合部５１１及び第二係合部５２１は、係合部傾斜面５１３、５２３を有している。また、突出部３２Ａ及び突出部３２Ｂは、係合部傾斜面５１３、５２３に対向する傾斜部３４を有している。
このように構成することで、締結部材５３により第一クランプ部材５１と第二クランプ部材５２とを締結すると、係合部傾斜面５１３、５２３によって、第一クランプ部材５１及び第二クランプ部材５２が、固定ビーム３０を引き寄せる。これによっても、固定ビーム３０と、連結部材５０の第一クランプ部材５１及び第二クランプ部材５２とが、互いに強く押し付けられる。これにより、椅子本体４０による荷重やモーメントに対する強度を高めるとともに、椅子本体４０の位置ズレやガタ付き、取付位置のばらつきを抑えることができる。
【００６５】
また、第一クランプ部材５１及び第二クランプ部材５２は、突き当たり面５１８、５２８を備えている。
このように構成することで、締結部材５３により第一クランプ部材５１と第二クランプ部材５２とを締結したときに、第一クランプ部材５１と第二クランプ部材５２とが、突き当たり面５１８、５２８によって互いに突き当たることで、第一クランプ部材５１と第二クランプ部材５２との位置関係が規制される。これにより、締結部材５３の過度な締付を抑え、第一係合部５１１及び第二係合部５２１を、突出部３２Ａ及び突出部３２Ｂに対し、適正な状態（姿勢）で係合させることができる。
【００６６】
また、固定ビーム３０は、上下方向ＵＤ及び前後方向ＦＲに交差し、水平方向に延びるよう形成されている。
このように構成することで、水平方向に延びる固定ビーム３０に対し、支持脚２０及び椅子本体４０を、固定ビーム３０の水平方向の任意の位置に取り付けることができる。
【００６７】
また、連結部材５０は、構造物の床面Ｆに固定され、固定ビーム３０を支持する支持脚２０に設けられている。
このように構成することで、固定ビーム３０と、この固定ビーム３０を支持する支持脚２０とを、より強固に固定して、椅子本体４０の位置ズレやガタ付き、取付位置のばらつきを抑えることができる。
【００６８】
また、連結部材５０は、少なくとも着座面４２ｆを有した座部４２を備える椅子本体４０に設けられている。
このように構成することで、固定ビーム３０と、この椅子本体４０とを、より強固に固定して、椅子本体４０の位置ズレやガタ付き、取付位置のばらつきを抑えることができる。
【００６９】
（実施形態の第１変形例）
上記実施形態では、構造物の床面Ｆに固定されて上下方向ＵＤに延びる支持脚２０の上端部に、連結部材５０を設けるようにしたが、これに限らない。
例えば、図４に示すように、構造物の壁面Ｗに固定された支持部材（支持脚、什器構成部材）１２０の先端部の上面に、上記実施形態と同様の連結部材５０を設け、固定ビーム３０と連結するようにしてもよい。
【００７０】
（実施形態の第２変形例）
また、上記実施形態において、固定ビーム３０の構成について例示したが、その断面形状については、適宜変更することが可能である。
例えば、固定ビーム３０に、補強部３５として、内側連結部３８を備えるようにしたが、図５に示す固定ビーム３０Ｂのように、内側連結部３８を省略した構成とすることもできる。この場合、例えば、前後方向ＦＲの両側の補強部３５の直交面３６ａ同士を、連結部１３８によって連結し、断面視矩形の筒状とてもよい。
【００７１】
（実施形態の第３変形例）
また、図６に示す固定ビーム３０Ｃのように、補助突出部３６を省略したような構成とすることもできる。この場合、例えば、上下の被クランプ部３２，３２の間において、固定ビーム３０の前後方向両側の壁部１３０の厚みを、被クランプ部３２よりも厚くすることで、上下方向ＵＤにおいて、被クランプ部３２の傾斜部３４が形成された部分よりも高い断面係数を有した補強部３５を構成することもできる。
【００７２】
（その他の実施形態）
なお、本発明の什器構成部材の支持構造、及びそれを備える什器は、図面を参照して説明した上述の実施形態や変形例に限定されるものではなく、その技術的範囲において様々な変形例が考えられる。
例えば、上記実施形態において、固定ビーム３０に、突出部３２Ａ，３２Ｂを有する被クランプ部３２を設け、支持脚２０及び椅子本体４０側に連結部材５０を備えるようにしたが、これに限らない。支持脚２０、椅子本体４０側に被クランプ部３２を設け、固定ビーム３０側に連結部材５０を備えるようにしても良い。
【００７３】
また、上記実施形態において、突出部３２Ａ，３２Ｂは、傾斜部３４が形成されることで、主部３１から鋭角に突出しているが、突出部３２Ａ，３２Ｂを、主部３１から前後方向ＦＲに沿って突出する板状とすることも可能である。
【００７４】
また、内側連結部３８は、傾斜アーム３８ａを備えるようにしたが、これを傾斜させずに鉛直方向に延びるように設けてもよい。
【００７５】
また、固定部材としての固定ビーム３０は、水平方向に連続して延びるようにしたが、これに限らない。固定部材は、什器構成部材である支持脚２０や椅子本体４０の連結部材５０を連結できるだけの大きさを少なくとも有していればよい。
【００７６】
さらに、固定ビーム３０に取り付ける什器構成部材は、支持脚２０や椅子本体４０に限らず、テーブルや台を構成する天板等、他のものであってもよい。
【００７７】
また、上記実施形態では、固定ビーム３０の上下方向ＵＤの両側に、突出部３２Ａ，３２Ｂを有する被クランプ部３２を設けたが、少なくとも一方に被クランプ部３２を備えていれば良い。したがって、例えば、支持脚２０に連結部材５０を用いずに固定ビーム３０を取り付け、固定ビーム３０の上方に、上記実施形態と同様に、椅子本体４０を、連結部材５０を介して取り付けることもできる。さらには、例えば、床面Ｆや壁面Ｗに固定ビーム３０を埋設し、床面Ｆや壁面Ｗから露出するように被クランプ部３２を設け、この被クランプ部３２に、各種の什器構成部材を、連結部材５０を用いて取り付けることもできる。
これ以外にも、本発明の主旨を逸脱しない限り、上記実施の形態で挙げた構成を取捨選択したり、他の構成に適宜変更したりすることが可能である。
【符号の説明】
【００７８】
１０  ベンチシート装置（什器）
２０  支持脚（什器構成部材）
３０、３０Ｂ、３０Ｃ  固定ビーム（固定部材）
３１  主部
３２  被クランプ部
３２Ａ  突出部（第一突出部）
３２Ｂ  突出部（第二突出部）
３３  平面部
３４  傾斜部（対向傾斜面）
３５  補強部
３６  補助突出部
３６ａ  直交面
３６ｂ  連結部
３８  内側連結部
３８ａ  傾斜アーム
３８ｂ  水平アーム
３９  オプション部材取付溝
４０  椅子本体（什器構成部材）
４１  フレーム
４１ａ  座部支持部
４１ｂ  背部支持部
４２  座部
４２ｆ  着座面
４３  背部
４３ｆ  背凭れ面
４４  軸支部
５０  連結部材（什器側部材）
５１  第一クランプ部材
５１ｈ  挿通穴
５１１  第一係合部
５１２  凹部
５１３  係合部傾斜面（第二傾斜面）
５１５  係合凸部
５１６  鉛直面
５１７  傾斜面（第一傾斜面）
５１８  突き当たり面
５２  第二クランプ部材
５２ｈ  雌ネジ孔
５２１  第二係合部
５２２  凹部
５２３  係合部傾斜面（第二傾斜面）
５２４  支持面（平面部）
５２５  係合凹部
５２６  鉛直面
５２７  傾斜面（第一傾斜面）
５２８  突き当たり面
５３  締結部材
１２０  支持部材（支持脚、什器構成部材）
１３０  壁部
Ｆ  床面
ＦＲ  前後方向（交差方向）
ＵＤ  上下方向（対向方向）
Ｗ  壁面
【図１】
2018187154.tif 000003
【図２】
2018187154.tif 000004
【図３】
2018187154.tif 000005
【図４】
2018187154.tif 000006
【図５】
2018187154.tif 000007
【図６】
2018187154.tif 000008